(57)【要約】【課題】メダルを一重に均して研磨布間に送り込むことができて、メダルをむらなく高い研磨能力で効率的に研磨することができるメダル研磨装置を提供する。【解決手段】研磨布２９のメダル入り側にはメダル均し部材３８、３８ａを設けて、多重に積み重なってメダル搬送用ベルト３０ａに送り込まれたメダルを一重に均す。メダル均し部材３８、３８ａとして、前後にスイングして自重でメダルを均す振り子３８１やモーターにより駆動される回転ブラシ３８ｃを用いる。なお、研磨装置は、左右一対の無端ベルトに薄板２４が梯子段状に取付けられて開口したメダル研磨用の受け部２５が形成されたメダル搬送用ベルト３０ａと、前記受け部２５に保持されて搬送されるメダルを両面から挟んで研磨する一組の研磨布２９とが張設されている。【選択図】　　図２
2004081503.tif 000002
【特許請求の範囲】
【請求項１】
メダル搬送用ベルトと、該ベルトに保持されて搬送されるメダルを研磨する研磨布とが張設されており、研磨布のメダル入り側には、多重に積み重なって前記ベルトに送り込まれたメダルを一重に均すためのメダル均し部材が設けられていることを特徴とするメダル研磨装置。
【請求項２】
メダル均し部材が、前後にスイングする振り子である請求項１に記載のメダル研磨装置。
【請求項３】
メダル均し部材が、モーターにより駆動される回転ブラシである請求項１に記載のメダル研磨装置。
【請求項４】
メダル搬送用ベルトには、左右一対の無端ベルトに薄板が梯子段状に取付けられて開口したメダル研磨用の受け部が形成されており、この受け部を両面から挟んで一組の研磨布が対向して張設されている請求項１〜３の何れかに記載のメダル研磨装置。
【発明の詳細な説明】
【０００１】
【発明の属する技術分野】
本発明は、遊技に使用されて汚染したメダルを研磨するためのメダル研磨装置に関するものである。
【０００２】
【従来の技術】
スロットマシンなどの遊技機に使用されるメダルは、遊技者の手の脂、大気中の紫煙、機械油などによって汚染されるために適宜研磨を行って綺麗にしてやる必要がある。メダルを研磨する方法として、対向させて張設した研磨布間をメダルを通過させて研磨する方法が知られている。しかしながら、従来の研磨装置においては研磨布間にメダルが多重に積み重なって送り込まれることがあったので、メダルの研磨にむらが生じて十分綺麗に研磨することができないという問題があった。
【０００３】
【発明が解決しようとする課題】
本発明は上記した従来の問題点を解決し、メダルを一重に均して研磨布間に送り込むことができて、メダルをむらなく綺麗に研磨することができるメダル研磨装置を提供するためになされたものである。
【０００４】
【課題を解決するための手段】上記の課題を解決するためになされた本発明のメダル研磨装置は、メダル搬送一対の無端ベルトに薄板が梯子段状に取付けられて開口したメダル研磨用の受け部が形成されたメダル搬送用ベルトと、前記受け部に保持されて搬送されるメダルを両面から挟んで研磨する一組の研磨布とが張設されており、この研磨布のメダル入り側には、多重に積み重なってメダル搬送用ベルトに送り込まれたメダルを一重に均すためのメダル均し部材が設けられていることを特徴とするものである。
【０００５】
なお、メダル均し部材を、前後にスイングする振り子とすることができ、メダル均し部材を、モーターにより駆動される回転ブラシとすることができる。また、メダル搬送用ベルトは、左右一対の無端ベルトに薄板が梯子段状に取付けられて開口したメダル研磨用の受け部が形成されており、この受け部を両面から挟んで一組の研磨布が対向して張設されているものとすることができる。
【０００６】
本発明のメダル研磨装置は、研磨布のメダル入り側にメダル均し部材を設けたので、多重に積み重なってメダル搬送用ベルトに送り込まれたメダルを一重に均すことができるので、メダルをむらなく綺麗に研磨することができる。
【０００７】
【発明の実施の形態】
以下に図面を参照しつつ本発明の好ましい実施形態を説明する。
研磨装置２の詳細を図１〜５に示す。研磨装置２には、支持板２０に取付けられたメダル搬送装置３０と、支持板２７に取付けられた一組の研磨布送り装置２６が備えられている。
【０００８】
メダル搬送装置３０には、モーター２１と、このモーター２１によって駆動される駆動プーリ２２と、この駆動プーリ２２に連動する３本の従動プーリ２２ａとが間隔をおいて四角形に配置されている。これらのプーリ２２、２２ａを周回して一対の歯付きの無端ベルト２３が張設されている。なお、図３に示すように、上記した駆動プーリ２２、２２ａには歯２２１が形成されており、又、無端ベルト２３の裏側全周にはこの歯２２１に食い込むように凹凸２３１が形成されているので、無端ベルト２３に多少の負荷がかかったときにも無端ベルト２３を確実に回動させることができる。
【０００９】
そして、図４に示すように、左右に一対の無端ベルト２３には、略コの字形でメダルの厚みより薄いメダル保持用の薄板２４が、一定間隔をおいて梯子段状に配置されてメダル搬送用ベルト３０ａを構成している。この薄板２４は前記無端ベルト２３にその両端がネジ留めされて固定されており、前後の薄板２４との間に開口したメダル研磨用の受け部２５を形成している。受け部２５は、進行方向には一枚のメダルが入ることのできる寸法であるが、進行方向に対して横方向には複数枚のメダルが入ることのできる幅に形成してあって、複数枚のメダルを横一列に保持して効率的に研磨することができる。このメダル搬送装置３０には研磨済みのメダルを送り出すための排出口３０１が設けてある。なお、薄板２４はコの字型の開放部を、図４のように進行方向に向けてもよいし、図５のように進行方向と逆向きとしても何ら差し支えはない。
【００１０】
そして、図１、２に示したように、メダル搬送用ベルト３０ａの上下には、一組の研磨布送り装置２６が配設されているが、この研磨布送り装置２６には、支持板２７に駆動巻取り軸２８と従動払出し軸２８ａとが設けられていて、この巻取り軸２８と払出し軸２８ａにロール状の研磨布２９が装着されている。研磨布２９は梯子段状に連設された薄板２４を上下から挟むように張設されており、また、研磨布２９は、研磨布２９を押圧するための抑え板３１と、両端にガイド用ローラ３２とを有する押圧部材３３により支持されて、受け部２５にある移動中のメダルを挟みつけて押圧、研磨する。なお、抑え板３１の裏側にはヒーター３１１が配してあるので研磨布２９を適温に加熱することができる。また、両端のガイド用ローラ３２の近傍には研磨布２９が汚染した時に研磨布２９を定量送り出して研磨面をずらす際に送り量を検出するためのピッチローラ３４が配設されている。また、巻取り軸２８の近傍には巻取り時に研磨布２９を整然と巻くための抑えローラ３５が配設されている。
【００１１】
使用済みのメダルは、研磨装置２の端部に設けられたメダル受け器３６に投入される。メダル受け器３６にはメダル搬送用ベルト３０ａに向けて低く傾斜した底面３６１が形成してあるので、メダル受け器３６に投入されたメダルは、メダル搬送用ベルト３０ａの受け部２５に多重に積み重なって送入される。なお、受け部２５に送り込まれたメダルは、張設された研磨布２９の入り口まで支持板３７上を移動する。
【００１２】
メダルがメダル受け器３６から排出されてメダル搬送用ベルト３０ａに多重に積み重なった状態で送入される位置の上方にはメダル均し部材３８と、このメダル均し部材３８と若干進行方向に距離を置いてメダル均し部材３８ａとが配設されている。メダル均し部材３８は、支軸３８１に振り子３８２が前後にスイング可能に垂設されていて、多重のメダルを一重に均す。この振り子３８２はメダルを受け部２５に送り込む役割も果たしている。振り子３８２とメダル搬送用ベルト３０ａとのタイミングに同期を取ることにより、よりスムーズにメダルを受け部２５に送り込むことができる。振り子３８２の位置に薄板２４のメダル支持部が来る直前に進行方向に回動してメダルを受け部２５に送り込み、振り子３８２の位置に薄板２４のメダル支持部が来ると進行方向と逆方向に回動してメダルを均すことができる。振り子として、棒、薄片、束ねた細線などを用いることができる。また、メダル均し部材３８ａは、回転軸３８ｂにブラシ３８ｃが軸着されていて、図示していないモーターを駆動することにより回転軸３８ｂを介してブラシ３８ｃを回転させて、メダルを確実に一重に均すことができる。したがって、受け部２５に送入されたメダルは一重の状態に均されて搬送されて、上下に対向して張設された研磨布２９の間を通過するので、メダルの表裏面を同時に研磨することができる。
【００１３】
なお、研磨布送り装置２６のメダル入り側には、研磨液の含浸部３９が上下に対向して設けられていて研磨布２９に研磨液を供給するのでメダルの研磨をより効率的に行うことができる。なお、研磨装置２の下部にはキャスター２ａが設けてあって、研磨装置２の移動を容易に行うことができる。
【００１４】
【発明の効果】
以上に説明したように、本発明のメダル研磨装置は、研磨布のメダル入り側にメダル均し部材を設けたので、多重に積み重なってメダル搬送用ベルトに送り込まれたメダルを一重に均すことができるので、メダルをむらなく綺麗に研磨することができる。メダル均し部材として、前後にスイングする振り子やモーターにより駆動される回転ブラシを用いることによって、確実にメダルを一重に均すことができる。また、メダル搬送用ベルトには、左右一対の無端ベルトに薄板が梯子段状に取付けられて開口したメダル研磨用の受け部を形成されており、この受け部を両面から挟んで一組の研磨布が対向して張設されているので、メダルを強く押圧して高い研磨能力で効率的にメダルを研磨することができる。
したがって、本発明の研磨装置は、メダルを一重に均して研磨布間に送り込むことができて、メダルをむらなく高い研磨能力で効率的に研磨することができるという大きな利点を有する。
【図面の簡単な説明】
【図１】本発明の研磨装置の主要部の正面図である。
【図２】研磨装置の主要部の拡大図である。
【図３】プーリと無端ベルトの詳細図である。
【図４】メダル搬送装置の平面図である。
【図５】メダル搬送用ベルトの平面図である。
【符号の説明】
２　　研磨装置
２４　薄板
２５　メダル研磨用の受け部
３０ａ　メダル搬送用ベルト
２９　研磨布
３８、３８ａ　メダル均し部材
３８１　支軸
３８ｃ　回転ブラシ
【図１】
2004081503.tif 000003
【図２】
2004081503.tif 000004
【図３】
2004081503.tif 000005
【図４】
2004081503.tif 000006
【図５】
2004081503.tif 000007